(57)【要約】【課題】騒音を低減した加湿送風ユニットを提供することを目的とする。【解決手段】送風機を備える送風ユニットと、空気を加湿する加湿部を備える加湿ユニットと、吸気口および吹出口と連通する通風路と、を備え、送風機により吸気口から吸い込まれた空気は、加湿部を通過して吹出口から吹き出され、加湿ユニットは、送風ユニットの上方に位置し、加湿ユニットは、通風路の一部を構成するチャンバー部を含み、チャンバー部は、加湿部の側面を覆うように設けられる加湿送風ユニットを得られる。【選択図】図１
2019100639.tif 000002
【特許請求の範囲】
【請求項１】
送風機を備える送風ユニットと、空気を加湿する加湿部を備える加湿ユニットと、吸気口および吹出口と連通する通風路と、を備え、
前記吸気口は、前記送風ユニットに設けられ、
前記吹出口は、前記加湿ユニットに設けられ、
前記送風機により前記吸気口から吸い込まれた空気は、前記加湿部を通過して前記吹出口から吹き出され、
前記加湿ユニットは、前記送風ユニットの上方に位置し、
前記加湿ユニットは、前記通風路の一部を構成するチャンバー部を含み、
前記チャンバー部は、前記加湿部の側面を覆うように設けられることを特徴とする加湿送風ユニット。
【請求項２】
前記送風機の吐出口は、吸い込んだ空気を上向きに送風するよう設けられ、
前記チャンバー部は、前記送風機の吐出口の直上に設けられ、
前記送風機により送風される空気は、前記チャンバー部を通過した後に前記吹出口から吹き出されることを特徴とする請求項１に記載の加湿送風ユニット。
【請求項３】
前記送風ユニットは、前記送風機を内蔵する筐体を備え、
前記送風機の吐出口は、前記加湿部の直下より前記筐体の側壁側に設けられることを特徴とする請求項２に記載の加湿送風ユニット。
【請求項４】
前記加湿部は、前記加湿ユニットの中央に設けられ、
前記送風機の吐出口から上向きに吐き出された空気は、前記チャンバー部を通過した後、前記加湿部の側面から前記加湿部に流入し、前記加湿部から上方向に向かって吹き出されることを特徴とする請求項３に記載の加湿送風ユニット。
【請求項５】
前記送風機の運転を制御する制御部を有する電装部を備え、
前記チャンバー部は、前記電装部と前記加湿部とで仕切られる領域に設けられ、
前記電装部は、前記送風機の吐出口の直上に設けられ、
前記加湿部は、前記加湿ユニットの中央に設けられ、
前記吹出口は、前記加湿部の直上に設けられることを特徴とする請求項３または４に記載の加湿送風ユニット。
【請求項６】
前記チャンバー部は、発泡プラスチックで構成されることを特徴とする請求項１〜５いずれか１項に記載の加湿送風ユニット。
【請求項７】
熱交換素子を含む素子ユニットを備え、
前記素子ユニットは、前記送風ユニットの下方に設けられ、
前記通風路を流れる空気は、前記熱交換素子を通過してから前記加湿部に流入することを特徴とする請求項１〜６いずれか１項に記載の加湿送風ユニット。
【発明の詳細な説明】
【技術分野】
【０００１】
本発明は、住宅やビル等に使用する送風ユニットにおいて、加湿機能を搭載したものに関する。
【背景技術】
【０００２】
従来、この種の加湿送風ユニットとして、吸い込んだ外気を加湿して送風する加湿送風ユニットが知られている（例えば、特許文献１参照）。
【０００３】
以下、その加湿送風ユニットについて図７を参照しながら説明する。
【０００４】
図７に示すように、加湿送風ユニット（空気調和装置１００）は、送風機ユニットＦＵと、加湿機としての加湿ユニットＨＵとを備えている。また、送風機ユニットＦＵは、送風ファンを含み、加湿機ユニットＨＵは、２つの加湿エレメントを有し、加湿エレメントにより、空気を加湿する。そして、加湿機ユニットＨＵと送風機ユニットＦＵ、給気口１１８ａが順に直列に連結され、加湿機ユニットＨＵを通過した空気が送風機ユニットＦＵを通過して給気口１１８ａから室内に導入される。
【先行技術文献】
【特許文献】
【０００５】
【特許文献１】特開平６−２２１６１７号公報
【発明の概要】
【発明が解決しようとする課題】
【０００６】
このような従来の加湿送風ユニットにおいては、吹出口と送風機・加湿部との距離が近いため、運転騒音が機器外部に漏れやすく、騒音が大きくなるという課題を有していた。
【０００７】
そこで本発明は、上記従来の課題を解決するものであり、騒音を低減した加湿送風ユニットを提供することを目的とする。
【課題を解決するための手段】
【０００８】
そして、この目的を達成するために、本発明の一態様に係る加湿送風ユニットは、送風機を備える送風ユニットと、空気を加湿する加湿部を備える加湿ユニットと、吸気口および吹出口と連通する通風路と、を備え、前記吸気口は、前記送風ユニットに設けられ、前記吹出口は、前記加湿ユニットに設けられ、前記送風機により前記吸気口から吸い込まれた空気は、前記加湿部を通過して前記吹出口から吹き出され、前記加湿ユニットは、前記送風ユニットの上方に位置し、前記加湿ユニットは、前記通風路の一部を構成するチャンバー部を含み、前記チャンバー部は、前記加湿部の側面を覆うように設けられる、としたものであり、これにより所期の目的を達成するものである。
【発明の効果】
【０００９】
本発明によれば、騒音を低減した加湿送風ユニットを提供できる。
【図面の簡単な説明】
【００１０】
【図１】本発明の実施の形態１の加湿送風ユニットの概要を示す斜視図
【図２】本発明の実施の形態２の加湿送風ユニットの概要を示す斜視図
【図３】本発明の実施の形態２の加湿送風ユニットの給気経路を示す斜視図
【図４】本発明の実施の形態２の加湿送風ユニットの排気経路を示す斜視図
【図５】本発明の実施の形態２の加湿送風ユニットの概要を示す側面断面図
【図６】本発明の実施の形態２の加湿ユニットの天面断面図
【図７】従来の加湿送風ユニットを示す斜視図
【発明を実施するための形態】
【００１１】
本発明の一態様に係る加湿送風ユニットは、送風機を備える送風ユニットと、空気を加湿する加湿部を備える加湿ユニットと、吸気口および吹出口と連通する通風路と、を備え、前記吸気口は、前記送風ユニットに設けられ、前記吹出口は、前記加湿ユニットに設けられ、前記送風機により前記吸気口から吸い込まれた空気は、前記加湿部を通過して前記吹出口から吹き出され、前記加湿ユニットは、前記送風ユニットの上方に位置し、前記加湿ユニットは、前記通風路の一部を構成するチャンバー部を含み、前記チャンバー部は、前記加湿部の側面を覆うように設けられる、という構成を有する。
【００１２】
これにより、加湿部で発生する運転騒音をチャンバー部で吸収することができる。すなわち、加湿部で発生する音がチャンバー部により周囲に伝わりにくくなるという効果を奏する。
【００１３】
また、前記送風機の吐出口は、吸い込んだ空気を上向きに送風するよう設けられ、前記チャンバー部は、前記送風機の吐出口の直上に設けられ、前記送風機により送風される空気は、前記チャンバー部を通過した後に前記吹出口から吹き出されるという構成にしてもよい。
【００１４】
これにより、送風機により発生する運転騒音を前記チャンバー部で吸収することができる。すなわち、チャンバー部が送風機の直上に設けられ、チャンバー部を通過した後に吹出口から吹き出されることで、チャンバー部で送風機から吹出口までの距離を稼ぎ、送風機の音を吸収する、という効果を奏する。
【００１５】
また、前記送風ユニットは、前記送風機を内蔵する筐体を備え、前記送風機の吐出口は、前記加湿部の直下より前記筐体の側壁側に設けられるという構成にしてもよい。
【００１６】
これにより、加湿部と送風機の吐出口の位置をずらして設けることとなるので、加湿部への空気の流入がスムーズになり、圧損を低減できる。また、加湿部から水漏れが発生した場合の送風機への水の浸入を抑制できる。
【００１７】
また、前記加湿部は、前記加湿ユニットの中央に設けられ、前記送風機の吐出口から上向きに吐き出された空気は、前記チャンバー部を通過した後、前記加湿部の側面から前記加湿部に流入し、前記加湿部から上方向に向かって吹き出されるという構成にしてもよい。
【００１８】
これにより、さらに加湿部への空気の流入がスムーズになり、圧損を低減できる。
【００１９】
また、前記送風機の運転を制御する制御部を有する電装部を備え、前記チャンバー部は、前記電装部と前記加湿部とで仕切られる領域に設けられ、前記電装部は、前記送風機の吐出口の直上に設けられ、前記加湿部は、前記加湿ユニットの中央に設けられ、前記吹出口は、前記加湿部の直上に設けられるという構成にしてもよい。
【００２０】
これにより、加湿部を中央に配置することで、電装部を加湿ユニット内部に配置するスペースを確保できる。
【００２１】
また、前記チャンバー部は、発泡プラスチックで構成されるという構成にしてもよい。
【００２２】
これにより、チャンバー部の断熱性を向上させることで、加湿部への外気温等による影響を小さくすることができる。
【００２３】
また、熱交換素子を含む素子ユニットを備え、前記素子ユニットは、前記送風ユニットの下方に設けられ、前記通風路を流れる空気は、前記熱交換素子を通過してから前記加湿部に流入するという構成にしてもよい。
【００２４】
これにより、熱交素子を通った空気つまり熱交換素子で熱交換された空気を加湿するので、効率よく加湿できる。
【００２５】
以下、本発明の実施の形態について図面を参照しながら説明する。
【００２６】
（実施の形態１）
図１に示すように、加湿送風ユニットは、加湿ユニット１と、送風ユニット２とを備える。
【００２７】
加湿ユニット１は、外気吸込口１４と、給気吹出口１５と、加湿部５と、電装部６と、チャンバー部７とを含む。
【００２８】
外気吸込口１４および給気吹出口１５は、例えば加湿ユニット１の天面に設けられる。後述の送風機８の運転により外気吸込口１４から吸込まれた空気は、吸気口３および送風ユニット２内部を通過した後、加湿部５を通過して、給気吹出口１５から吹き出される。
【００２９】
なお、外気吸込口１４が設けられる位置は、加湿ユニット１の天面に限られず、例えば加湿ユニット１の側面や送風ユニット２の側面に設けられてもよい。
【００３０】
加湿部５は、送風ユニット２を通過した後の空気を加湿する。加湿部５で加湿された空気が吹き出す加湿部５の吹出口と給気吹出口１５は連通している。
【００３１】
また、給気吹出口１５は、加湿部５の直上に設けられることとしてもよい。これにより送風ユニット２の上面から加湿された空気を吹き出すことができ、加湿送風ユニットを設置する空間を小さくすることができる。
【００３２】
加湿部５は、例えば、破砕モータの回転により貯水部に貯めた水を破砕することで加湿する遠心破砕式のものを用いてもよい。遠心破砕式を用いることで、破砕モータの回転数を制御することにより加湿量を制御することができるため、より正確に加湿量をコントロールすることができる。
【００３３】
また、加湿部５は加湿ユニット１の中央に設けられていてもよく、このとき加湿部５は、吐出口１２から吹出される空気がチャンバー部７へ流入する際に妨げにならない位置に設けられる。
【００３４】
電装部６は、送風機８や加湿部５の運転を制御する制御部を有する。加湿ユニット１の内部に設けられる電装部６は、加湿ユニット１の側面に面して設けられ、吹出風路１１とは連通していない。このとき、風路断面積の最大化の観点から、吐出口１２の直上（上方）に設けられることが望ましい。ここで、「吐出口１２の直上」とは、電装部６を上から見たときに、送風機８の吐出口１２が電装部６に重なる範囲を含むものとする。
【００３５】
また、チャンバー部７は、電装部６と加湿部５とで仕切られる領域に設けられることとなる。すなわち、外側から、電装部６、チャンバー部７、加湿部５の順に設けられることとなる。
【００３６】
チャンバー部７は、例えば上部において、外気吸込口１４および給気吹出口１５と連通し、内部に風路を構成する。
【００３７】
チャンバー部７は加湿部５の側面を覆うように設けられる。また、チャンバー部７の内部には、通風路としての吸気風路１０と、送風機８および加湿部５と連通している吹出風路１１が設けられている。すなわち、チャンバー部７は、通風路の一部を構成する。
【００３８】
また、チャンバー部７は、外気側チャンバー部７ａと給気側チャンバー部７ｂから構成されていてもよい。このとき、外気側チャンバー部７ａの内部に吸気風路１０が設けられ、給気側チャンバー部７ｂの内部に、吹出風路１１が設けられる。また、外気側チャンバー部７ａと給気側チャンバー部とで加湿部５を挟持する構成であってもよい。すなわち、加湿部５がチャンバー部７に埋設されるように、チャンバー部７の内側側面と加湿部５とが密着していてもよい。
【００３９】
送風ユニット２は、加湿ユニット１の下に設けられ、筐体１３と、吸気口３と、送風機８と、通風路としての吸気風路１０とを含む。
【００４０】
吸気口３は、送風機８により送風される空気を吸い込む口であり、例えば筐体１３の加湿ユニット１側側面（天面）に設けられる。
【００４１】
送風機８は、例えばＤＣモータを用いた遠心送風機であり、吸気口３から吸い込んだ空気を加湿ユニット１へ送風する。また、送風機８は筐体１３に内蔵される。
【００４２】
加湿ユニット１と連通する、送風機８の吹き出し口を吐出口１２とする。吐出口１２は、吸い込んだ空気を上向きに送風するように設けられる。
【００４３】
ここで、本実施の形態に係る加湿送風ユニットにおける空気の流れについて説明する。
【００４４】
吸気風路１０を流れる空気は、外気吸込口１４から加湿ユニット１のチャンバー部７へ流入する。そして、吸気口３を通って送風ユニット２に入り、送風機８により吸気されたのち、吐出口１２と連通しているチャンバー部７より加湿ユニット１へ下から流入し、加湿部５にて加湿されたのち、給気吹出口１５から吹出される。
【００４５】
なお、加湿部５による加湿量として、例えば室内の相対湿度を３０〜４０％程度にするために必要な加湿量とするよう制御部にて設定してもよい。
【００４６】
また、外気吸込口１４から流入する空気が流れるチャンバー部７を外気側チャンバー部７ａ、吐出口１２と連通しているチャンバー部７を給気側チャンバー部７ｂとしてもよい。このとき、外気側チャンバー部７ａが上流側、給気側チャンバー部７ｂが下流側に設けられることとなる。
【００４７】
なお、チャンバー部７を送風機８の吐出口１２の直上に設けてもよい。このとき、送風機８により送風される空気は、直上に設けられたチャンバー部７を通過した後に吹出口から吹き出されることとなる。すなわち、送風機８の下流側であって、給気吹出口１５の上流側にチャンバー部７が設けられることで、チャンバー部７内部を通過する分、送風機８から給気吹出口１５までの距離が大きくなり、送風機８の音が周囲に伝わりにくくなる、という効果を奏する。
【００４８】
ここで、「吐出口１２の直上」とは、チャンバー部７を上から見たときに、送風機８の吐出口１２がチャンバー部７に重なる範囲を含むものとする。
【００４９】
また、吐出口１２は、加湿部５の直下より筐体１３の側壁側に設けられる構成としてもよい。これにより、加湿部５と送風機８の吐出口の位置をずらして設けることとなるので、加湿部５への空気の流入がスムーズになり、圧損を低減できる。さらに、加湿部５から水漏れが発生した場合の送風機８への水の浸入を抑制できる。ここで、加湿部５の直下とは例えば、送風機８の吐出口１２を直上から見たときに、送風機８の吐出口１２が加湿部５に重なる範囲を含むものとする。
【００５０】
また、このとき、加湿部５が加湿ユニット１の中央に設けられてもよい。これにより、吐出口１２から送風される空気は加湿部５の側面から流入し（図５参照）、加湿部５から上方向に吹き出すこととなり、さらに圧損を低減できる。なおこのとき、吐出口１２から上向きに吹出された空気は、チャンバー部７を通過した後、加湿部５の側面から加湿部５に流入し、加湿部５から上方向に向かって吹き出されることとなる（図５参照）。
【００５１】
ここで、「加湿ユニット１の中央」とは、例えば加湿部５が、加湿ユニット１の中心位置から例えば±２００ｍｍの範囲を含むものとする。また、例えば加湿部５が、後述する給気送風機吐出口２７と排気送風機吐出口２９との間の上方に位置することをいう。
【００５２】
また、チャンバー部７は、加湿ユニット１の結露を防止する目的から、断熱性能を有する材質によって構成されることが望ましい。ここで、断熱性能を有する材質とは、例えば発泡スチロールのような発泡性プラスチック材料をいう。
【００５３】
（実施の形態２）
実施の形態１と同様の構成については同じ符号を付し、詳細な説明は省略する。
【００５４】
図２に、熱交換素子を備えた場合の加湿送風ユニットを示す。
【００５５】
本実施の形態に係る加湿送風ユニットは、加湿ユニット１と、送風ユニット２と、素子ユニット２４とを備える。
【００５６】
加湿ユニット１は、加湿部５と、電装部６と、チャンバー部７と、外気口２０と、給気口２１と、環気口２２と、排気口２３とを含む。
【００５７】
チャンバー部７は、外気口２０に連通する外気風路３０と、給気口２１に連通する給気風路３１と、環気口２２に連通する環気風路３２と、排気口２３に連通する排気風路３３とを含む。
【００５８】
なお、外気口２０は実施の形態１における外気吸込口１４に相当し、給気口２１は実施の形態１の給気吹出口１５に相当する。また、給気送風機吐出口２７が実施の形態１における吐出口１２に相当し、給気送風機２６が実施の形態１における送風機８に相当する。
【００５９】
加湿部５は、給気風路３１内に設けられている。
【００６０】
送風ユニット２は、吸気口３と、筐体１３と、給気送風機２６と、排気送風機２８とを含む。
【００６１】
素子ユニット２４は、熱交換素子２５を含む。熱交換素子２５は、例えば全熱交換素子であり、通過する空気の温湿度を交換する。
【００６２】
ここで、本実施の形態における給気経路の空気の流れを、図３および図５を使って説明する。
【００６３】
図３および図５において、給気経路の空気の流れを矢印Ａで示す。
【００６４】
外気口２０から吸い込まれた空気は、チャンバー部７の外気風路３０を通って吸気口３から送風ユニット２に流入する。送風ユニット２は素子ユニット２４に連通しており、送風ユニット２から素子ユニット２４へ流入した空気は熱交換素子２５を通り、素子ユニット下面３５から素子ユニット側面３６に沿って送風され、給気送風機２６により再び送風ユニット２へと流入する。このとき、給気送風機２６に空気を流入させることができれば、素子ユニット２４のどの側面に沿って風路を構成してもよい。給気送風機２６は給気送風機吐出口２７から給気風路３１へ連通しており、吐出された空気は、給気風路３１を通って加湿部５によって加湿されたのち、給気口２１より吹出される。
【００６５】
次に、本実施の形態における排気経路の空気の流れを、図４および図５を使って説明する。
【００６６】
図４および図５において、排気経路の空気の流れを矢印Ｂで示す。
【００６７】
環気口２２から吸い込まれた空気は、チャンバー部７の環気風路３２を通って送風ユニット２に流入する。送風ユニット２は素子ユニット２４に連通しており、送風ユニット２より流入した空気は素子ユニット側面３６から熱交換素子２５を通り、排気送風機２８へと流入する。このとき、排気送風機２８に空気を流入させることができれば、素子ユニット２４のどの側面に沿って風路を構成してもよい。そして、排気送風機２８は排気送風機吐出口２９から排気風路３３へ連通しており、排気送風機吐出口２９から吐出された空気は、排気風路３３を通って排気口２３より吹出される。
【００６８】
なお、図６に示すように、チャンバー部７は、外気風路３０を構成する部分、給気風路３１を構成する部分、環気風路３２を構成する部分、および排気風路３３を構成する部分のように４分割されていてもよい。このとき、これら各部分の中心に給気口２１が設けられ、これら各部分で加湿部５の側面を覆うような構成であってもよい。
【００６９】
また、加湿ユニット１、送風ユニット２、および素子ユニット２４はそれぞれ取り外しが可能であってもよい。これにより、例えば加湿ユニット１のみメンテナンスが必要な場合には加湿ユニット１のみを取り外すことができるので、メンテナンス性が向上する。
【００７０】
以上、本発明に係る加湿送風ユニットについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００７１】
本発明に係る加湿送風ユニットは、加湿部で発生する音を周囲に伝わりにくくするものであるので、換気装置等に使用される加湿送風ユニット等として有用である。
【符号の説明】
【００７２】
１    加湿ユニット
２    送風ユニット
３    吸気口
５    加湿部
６    電装部
７    チャンバー部
７ａ    外気側チャンバー部
７ｂ    給気側チャンバー部
８    送風機
１０    吸気風路
１１    吹出風路
１２    吐出口
１３    筐体
１４    外気吸込口
１５    給気吹出口
２０    外気口
２１    給気口
２２    環気口
２３    排気口
２４    素子ユニット
２５    熱交換素子
２６    給気送風機
２７    給気送風機吐出口
２８    排気送風機
２９    排気送風機吐出口
３０    外気風路
３１    給気風路
３２    環気風路
３３    排気風路
３５    素子ユニット下面
３６    素子ユニット側面
【図１】
2019100639.tif 000003
【図２】
2019100639.tif 000004
【図３】
2019100639.tif 000005
【図４】
2019100639.tif 000006
【図５】
2019100639.tif 000007
【図６】
2019100639.tif 000008
【図７】
2019100639.tif 000009